(57)【要約】【課題】ＹＨ補正回路の動作時、上下側の調整不均衡の発生に伴う誤差を補償するためのミスコンバージェンスを補正する偏向ヨークを提供する。【解決手段】上側及び下側に設置されたコマフリーコイル２０，２１と接続端子２との間の連結配線の長さを同一にする。また、上側及び下側のコマフリーコイル２０，２１の配線長さの差による抵抗値を有する抵抗を長さがより短い配線に直列連結する。【選択図】  図１３
2004193096.tif 000002
【特許請求の範囲】
【請求項１】
プリント回路基板がリアカバー部の一側面に位置されたコイルセパレータと、
前記コイルセパレータの内外周面に各々設置されて一定磁界を発生することによって陰極線管から照射される電子ビームを偏向させる偏向コイルと、
前記偏向コイルの磁界を強化するように前記コイルセパレータの外面に設置されるフェライトコアと、
前記プリント回路基板の接続端子に近接した一側のコマフリーコイルで接続端子に連結される配線を迂回延長させることによって、前記コマフリーコイルと所定距離だけ離隔されて対向設置された他側のコマフリーコイルで接続端子に連結される配線の長さと同一にして両側の配線長さの差で発生されるミスコンバージェンスを補正するコマフリーコイルと、
を含んで構成されることを特徴とする、ミスコンバージェンスを補正する偏向ヨーク。
【請求項２】
請求項１において、前記接続端子から両側コマフリーコイルに達する配線長さが同一になるように、プリント回路基板の接続端子と近接した位置に設置されたコマフリーコイルの一側線を対応する接続端子に短距離で配線し、他の一側線は対向設置されたコマフリーコイルのボビンを回して対応する接続端子に遠距離で配線することを特徴とする、ミスコンバージェンスを補正する偏向ヨーク。
【請求項３】
請求項１において、前記接続端子から両側コマフリーコイルに達する配線長さが同一になるように、プリント回路基板の接続端子と近接した位置に設置されたコマフリーコイルの両側の入力配線及び出力配線を同時に迂回配線して延長することを特徴とする、ミスコンバージェンスを補正する偏向ヨーク。
【請求項４】
請求項１において、前記コマフリーコイルを垂直に二等分する中心延長線を基準にコマフリーコイルが装着される周辺部の所定地点に左右対称となるように掛かり部を形成して前記掛かり部に配線が巻かれるようにし、両側の配線が対称となる構造を有することを特徴とする、ミスコンバージェンスを補正する偏向ヨーク。
【請求項５】
請求項４において、対称になるある一片の掛かり部は、一つ以上形成されることを特徴とする、ミスコンバージェンスを補正する偏向ヨーク。
【請求項６】
プリント回路基板がリアカバー部の一側面に位置されたコイルセパレータと、
前記コイルセパレータの内外周面に各々設置されて一定磁界を発生することによって陰極線管から照射される電子ビームを偏向させる偏向コイルと、
前記偏向コイルの磁界を強化するように前記コイルセパレータの外面に設置されるフェライトコアと、
前記プリント回路基板の接続端子に近接した一側のコマフリーコイルとこれに所定距離だけ離隔されて対向設置された他側のコマフリーコイルで接続端子に連結される配線の相互の長さの差によるミスコンバージェンスを補正するように、前記接続端子に近接した一側のコマフリーコイルで接続端子に連結される配線に前記配線の長さの差に該当する抵抗値を有する抵抗が直列連結したコマフリーコイルと、
を含んで構成されたことを特徴とする、ミスコンバージェンスを補正する偏向ヨーク。
【請求項７】
請求項６において、前記抵抗は、プリント回路基板上に装着されることを特徴とする、ミスコンバージェンスを補正する偏向ヨーク。
【請求項８】
請求項６において、前記抵抗の抵抗値は、０．０７Ωであることを特徴とする、ミスコンバージェンスを補正する偏向ヨーク。
【発明の詳細な説明】
【０００１】
【発明の属する技術分野】
本発明は、スコンバージェンス（Miss Convergence）を補正する偏向ヨーク（Deflection yoke）に関するものであり、より詳しくは、偏向ヨークのリアカバー部に位置する上側及び下側のコマフリーコイルとプリント回路基板の接続端子との間の連結配線の長さを同一にして、ＹＨ補正回路の動作時に、上下側調整の不均衡発生に伴う誤差を補償するためのミスコンバージェンスを補正する偏向ヨークに関するものである。
【０００２】
【従来の技術】
一般的に、テレビ画面で人間が見る画像は固定された画像ではなく、概略、１秒当たり３０回の割合で現れる停止画面の連続体をもって動く映像となり、画面に現れる色彩はブラウン管のスクリーン面に塗布された赤色、青色、緑色の蛍光物質を通して発光される電子ビームらの組み合わせである。
【０００３】
すなわち、画面の左側上端から右側下端へ５２５個の走査線を１／３０秒間飛越走査して全体の画像情報を収めたあるフレームを形成し、電子ビームが蛍光物質に強く衝突するほどより一層明るく光る性質を利用して電子ビームの強度を調整して画面の明るさを変化させることによって映像信号が視覚化されるのである。万一、電子ビームが上記のような方式で走査できなくなると、画面中心部に明るい点１つだけを形成するようになり、映像が正しく伝えられなくなる。
【０００４】
陰極線管（CRT）及び偏向ヨーク（Deflection Yoke）は、カメラを通して伝えられるビデオ映像信号がブラウン管と同じ表示装置を通して人間が認識できる映像に再現されるようにする重要な手段である。
【０００５】
陰極線管は、表示品質と価格性能比に優れ、液晶表示装置（LCD）、プラズマ表示装置（PDP）などの新しい表示装置の出現にも拘わらず、現在最も広く使われる画像表示装置である。
【０００６】
一般的に陰極線管は電子銃で発射される３色の電子ビームを偏向させて陰極線管のスクリーン面に塗布された蛍光膜に正確に照射させる偏向ヨークを具備する。
【０００７】
偏向ヨークは陰極線管の磁気装置中、最も重要な要素で、時間系列に転送された電気信号が陰極線管のスクリーン上に映像として再生できるようにする役割を果たす。
【０００８】
すなわち、電子銃で発射された電子ビームは高電圧によってスクリーン上に直進することによって単純に画面の中央蛍光体（蛍光物質）だけを発光させるようになるため、偏向ヨークは外部から電子ビームを走査の順にスクリーン上に到達するように偏向させる作用をする。こうした偏向ヨークは磁界を形成して電子ビームが磁界を通過するとき、電磁気力を受けてその進行方向が変化することを利用して電子ビームを陰極線管のスクリーン面に塗布された蛍光膜に正確に偏向されるようにするのである。
【０００９】
図１は、一般的な陰極線管を示した側面図で、図示されたように、偏向ヨーク１０４は陰極線管１００のRGB電子銃部１０３に配置され、電子銃１０３ａから走査される電子ビームをスクリーン面１０２に塗布された蛍光膜に偏向させるようにする。
【００１０】
蛍光膜の蛍光物質（Phosphor）は、電子ビームの衝突で電子エネルギーが光に変化されるようにし、適当な色相とその持続性、そして良好な寿命などのためには蛍光物質の選択と塗布技術が考慮されなければならない。
【００１１】
偏向ヨーク１０４は、全体的に上下対称形に構成され、１つに結合される一対のコイルセパレータ１１０を具備してなり、上記コイルセパレータ１１０は水平偏向コイル１１５及び垂直偏向コイル１１６を絶縁させるとともに、これらの位置を精度よく組立てるために具備されたもので、陰極線管１００のスクリーン面１０２側に結合されるスクリーン部１１１ａとリアカバー部１１１ｂ及び上記リアカバー部１１１ｂの中心面から一体に延長形成されて陰極線管１００の電子銃部１０３に結合されるネック部１１２で構成されている。
【００１２】
上記のようなコイルセパレータ１１０の内外周面には、外部から印加される電源によって水平偏向磁界及び垂直偏向磁界を形成するための水平偏向コイル１１５及び垂直偏向コイル１１６が設置されている。
【００１３】
そして、上記垂直偏向コイル１１６を覆うように装着されて垂直偏向コイル１１６から発生される磁界を強化するように磁性体に形成される一対のフェライトコア１１４が設置されている。
【００１４】
そして、コイルセパレータ１１０のリアカバー部１１１ｂの一側にはプリント回路基板ｐが設置され、上記水平偏向コイル１１５，垂直偏向コイル１１６に電源を供給する等、装着された様々な回路素子を通して偏向ヨークに対する電気信号を制御する。
【００１５】
上記水平偏向コイル１１５，垂直偏向コイル１１６に互いに他の周波数の鋸波電流が印加されると、フレミングの左手法則によって水平偏向コイル１１５は垂直方向の磁力線が発生されて電子ビームが水平方向に力を受けるようになり、垂直偏向コイル１１６は水平方向の磁力線によって電子ビームが垂直方向に力を受けるようになる。
【００１６】
したがって、電子銃１１３ａから放出される赤色（R）、緑色（G）、青色（B）の３色の電子ビームらは、各々所定角度に偏向され、画面上に走査位置が決定される。
【００１７】
一方、図１に示された偏向ヨークは、コイルの捲線構造にしたがって、図２と図３に図示されたサドル−サドル（Saddle-Saddle）型とこれと捲線構造が多少異なるサドル−トロイダル（Saddle-Toroidal）型（図面せず）に大別される。
【００１８】
図２と図３に図示されたサドル−サドル型偏向ヨークでは、概略円錘形のコイルセパレータ１１０のスクリーン部の内周面の上下側にサドル型の水平偏向コイル１１５が設置されて、外周面の左右側にサドル型の垂直偏向コイル１１６が設置されている。そして、垂直偏向コイル１１６の磁界を補強するために上記コイルセパレータ１１０のスクリーン部１１１ａの外周面には概略円筒形のフェライトコア１１４が設置されている。
【００１９】
また、上記コイルセパレータ１１０のネック部１１２の外周縁の周辺には垂直偏向コイル１１６によって発生されるコマ（COMA）を補正するためのコマフリーコイル（図面せず）が設置されている。
【００２０】
サドル−トロイダル型偏向ヨークは概略円錘形のコイルセパレータ１１０のスクリーン部の内周面の上下側にサドル型の水平偏向コイル１１５が設置されて外周縁に概略円筒形のフェライトコア１１４が具備され、上記フェライトコア１１４の上下側にしたがって、トロイダル型の垂直偏向コイル１１６が捲線されている。
【００２１】
また、上記コイルセパレータ１１０のネック部１１２の外周縁周辺には垂直偏向コイル１１６によって発生されるコマ（COMA）を補正するためのコマフリーコイル（図示せず）が設置されている。
【００２２】
そして、コイルセパレータ１１０のリアカバー部１１１ｂの一側にはプリント回路基板ｐが設置されて上記水平偏向コイル１１５，垂直偏向コイル１１６に電源を供給する等、装着された様々な回路素子を通して偏向ヨークに対する電気信号を制御する。
【００２３】
一方、上記のように構成されたサドル−サドル型又はサドル−トロイダル型偏向ヨークで垂直・水平偏向コイルの散布特性と相対的である電流量の大きさの変化によって、対向設置された偏向コイルの両側から発生する磁界が互いに差を生じるようになる。
【００２４】
このような場合、コイルセパレータのネック部側、すなわちリアカバー部で一体に延長され、陰極線管の電子銃部に結合されるネック部側で初期放出される３色の電子ビームは赤色，緑色，青色を担当する各電子銃の位置と偏向コイルから発生する磁界の差によって各ビームのベクトル的軌跡は他の特性を有するようになって、これに伴って画面上にはミスコンバージェンス（Miss Convergence）が起きるようになる。
【００２５】
カラーモニタ又はブラウン管で像（image）を正確に表出するためには、陰極線管内の赤色、緑色、青色の電子銃から出る電子ビームらが同時に一点で正確に集まらなければならない。ミスコンバージェンスは緑色を中心に赤色と青色とが抜け出すようになる場合、その程度を示すものである。
【００２６】
ミスコンバージェンスが発生するようになると、画面上では文字や絵が重なって見えるようになり、鮮明でなくなる問題点が発生する。主に、陰極線管の構造上、画面の中央より周辺でミスコンバージェンスがより一層大きくなる。
【００２７】
一般的に画面上に現れるミスコンバージェンスにはランディング（landing）誤差、ディストーション（distortion）誤差、ＶＣＲ歪曲、ＨＣＲ、ＹＶ、ＹＨ、ＣＶ、ＰＱＨなどが含まれる。
【００２８】
ランディング誤差は、電子銃から走査された電子ビーム（Ｒ，Ｇ，Ｂ）がスクリーン上の各画素に正確に走査されず各画素から画面の中央部位又は画面の端部に偏って走査されるミスコンバージェンスを言い、ナロー（narrow）化又はワイド（wide）化された状態のミスコンバージェンスを意味する。
【００２９】
また、ディストーション誤差は、電子ビーム（Ｂ，Ｇ，Ｒ）がスクリーンに走査される形態がスクリーンの上下側で抜け出した状態や、または、スクリーンの中央部位に集まって走査され、端部にはビームが走査されない状態のミスコンバージェンスで、バレル（barrel）化又はピン（pin）化された状態のミスコンバージェンスを意味する。
【００３０】
また、ＨＣＲは図４に示されたように、赤色ビーム（Ｒ）と青色ビーム（Ｂ）はスクリーンに正確に走査される反面、緑色ビーム（Ｇ）はスクリーンの各画素に正確に走査されず、水平方向に誤差が発生し、赤色ビーム（Ｒ）と青色ビーム（Ｂ）の内部又は外部に位置するようになって水平的なアンバランス（unbalance）を有するミスコンバージェンスをいう。
【００３１】
ＨＣＲ歪曲の場合には主に上側及び下側に設置された水平偏向コイルのインダクタンス差が起きないようにバランスコイル（ＢＣ）を付加的に設置し、バランスコイルのコアを移動させることによって上下水平偏向コイルのインダクタンスをマッチング調整する。
また、ＶＣＲは、図５に図示されたとおり、スクリーンの上部及び下部に沿ってホワイト線が水平方向にディスプレイされるとき、赤色ビーム（Ｒ）と青色ビーム（Ｂ）はスクリーンに正確に走査されてマッチングされる反面、緑色ビーム（Ｇ）はスクリーンの各画素に正確に走査されず、垂直方向に誤差が発生するミスコンバージェンスをいう。ＶＣＲ歪曲の場合には、主にスクリーンの上部及び下部に近接してより顕著に表示され、スクリーンの中央部には変化しない。
【００３２】
コマフリー（Coma Free）は偏向ヨークのＶＣＲ（Ver.Center Raster）特性、すなわち陰極線管の垂直軸上の測定点における赤色ビーム（Ｒ）／青色ビーム（Ｂ）の中心と緑色ビーム（Ｇ）の垂直方向のミスコンバージェンス感度が良好となるようにする。コマフリーから発生するピン磁界が垂直偏向コイルから発生するバレル（Barrel）磁界を相殺させ、緑色ビーム（Ｇ）が赤色ビーム（Ｒ）と青色ビーム（Ｂ）にマッチングされるようにする。
【００３３】
また、ＣＶはスクリーンのコーナー部分から垂直方向へ赤色ビーム（Ｒ）と青色ビーム（Ｂ）が互いに交錯する状態で走査されるミスコンバージェンスを言い、ＹＶは図６に示されるように、スクリーンをＸ軸とＹ軸で分ける場合、Ｙ軸の上部及び下部で赤色ビーム（Ｒ）の横線が青色ビーム（Ｂ）の横線から外れる垂直ミスコンバージェンスをいう。この場合には主に左右側の垂直偏向コイルに可変抵抗を連結設置して上記可変抵抗を調整することによって垂直偏向コイルの左右側で流れる電流の相対的な勢いを調節することになる。
【００３４】
一方、ＹＨは図７に図示されるとおり、赤色ビーム（Ｒ）の縦線と青色ビーム（Ｂ）の縦線が交差されるミスコンバージェンスで、画面上の軸特性を示しているのである。すなわち、画面中心の上下両端から赤色ビーム（Ｒ）を基準に青色ビーム（Ｂ）の垂直線（縦線）がずれる程度を示すものであり、赤色ビーム（Ｒ）を基準に青色ビーム（Ｂ）の垂直線が左側にずれた状態をマイナス（−）で表示し、反対に赤色ビーム（Ｒ）を基準として青色ビーム（Ｂ）の垂直線が右側にずれた状態をプラス（＋）で表示する。
【００３５】
この場合には、図８に図示されたミスコンバージェンス補正装置をもって解消するようになる。図８は、こうした従来の偏向ヨークでミスコンバージェンスを補正するための装置の回路構成図で、図９乃至図１１は、ＹＨ歪曲現象とこれを補正するための過程を説明する画面の例示図である。
【００３６】
図８に示すとおり、参照番号１０とされている垂直コイルのメーン部に対して第１コマフリーコイル５１，第２コマフリーコイル５２が電気的に相互に直列連結している。
【００３７】
そして、第１コマフリーコイル５１，第２コマフリーコイル５２に対してＹＨＣミスコンバージェンス調整部Ｒ１，ＹＨＣ  ＶＲが並列接続されている。こうしたＹＨＣミスコンバージェンス調整部Ｒ１，ＹＨＣ  ＶＲは、第１コマフリーコイル５１，第２コマフリーコイル５２に流れる相対的電流量を制御して画面上のミスコンバージェンスを調整するために設けられている。
【００３８】
また、第３コマフリーコイル５３，第４コマフリーコイル５４は、前記第２コマフリーコイル５２に対して並列連結され、ＹＨミスコンバージェンス調整のための可変抵抗ＹＨ  ＶＲが前記第３コマフリーコイル５３，第４コマフリーコイル５４に並列連結されている。
【００３９】
こうしたＹＨミスコンバージェンス調整のための可変抵抗ＹＨ  ＶＲは、前記第３コマフリーコイル５３，第４コマフリーコイル５４に流れる相対的電流量を制御して画面のミスコンバージェンス（ＹＨ）を調整するために備えられている。
【００４０】
さらに、第１ダイオードＤ1，第２ダイオードＤ２は、相互に逆極性に並列連結されていて、前記ＹＨ可変抵抗ＹＨ  ＶＲは第１ダイオードＤ１のカソード端子と第２ダイオードＤ２のアノード端子間に連結されていて、第２抵抗Ｒ２，第３抵抗Ｒ３は直列連結されていて全体的にＹＨ可変抵抗ＹＨ  ＶＲに並列連結されている。
【００４１】
前記第２抵抗Ｒ２，第３抵抗Ｒ３の連結点と前記第１ダイオードＤ1，第２ダイオードＤ２の連結点に連結した第４抵抗Ｒ４及び前記第４抵抗に並列連結された第１コイル及び第２コイル（参照番号は示さず）が備えられている。
【００４２】
したがって、前記垂直コイルメーン部１０を通して垂直偏向の磁界量が調整されて、入力された電圧は第１コマフリーコイル５１，第２コマフリーコイル５２に入力される。そして、画面上に発生されるＹＨミスコンバージェンスは、可変抵抗ＹＨ  ＶＲにＹＨ補正をしてミスコンバージェンスを調整する。この場合、上側コマフリーコイルと下側コマフリーコイルに同じ電流が印加されなくなった場合には、磁界の偏差が発生し、画面の上側及び下側のミスコンバージェンス補正が好適に成し遂げられなくなる。
【００４３】
したがって、その不均衡量であるＹＨＣ（ＹＨ ＣＲＯＳＳ）が発生するようになるのであるが、この場合、ＹＨＣミスコンバージェンス調整部Ｒ１，ＹＨＣＶＲは第１コマフリーコイル５１，第２コマフリーコイル５２に流れる相対的電流量を制御して画面上のミスコンバージェンスを調整するのである。
【００４４】
このように動作する従来の偏向ヨークが有するミスコンバージェンス補正装置ではモニタ回路上に装着されてビームの偏向役割をするＤＹで画面の特性中に発生する歪曲現象のうち、図９に図示されるように歪曲される画面の歪曲現象であるＹＨを補正しなければならない。
【００４５】
図８でＹＨ  ＶＲとして示されている可変抵抗を調整することで、ＹＨ成分の絶対量を補正するようになるのであるが、前記ＹＨ補正用可変抵抗ＹＨ  ＶＲを調整する場合、上下側の特性変化量が同一に変化しなければならないが、実際には上側と下側とに設けられたコマフリーコイルのプリント回路基板の接続端子に連結される配線長さの差による抵抗偏差で、電流が同一に印加制御されないのである。したがって、ＹＨ補正時の画面には、同じ変化量に比例して変化しないようになり、結局、上下側の赤色ビームと青色ビームとで量の差が発生するようになる。
【００４６】
図１０は、こうした不均衡的な状態を図示していて、こうしたＹＨ歪曲に伴う補正時に発生する不均衡量をＹＨＣ（ＹＨ ＣＲＯＳＳ）という。
【００４７】
ＹＨＣが発生することによって、生産時の不必要な作業が行なわれ、補正時の他の特性にも影響を及ぼし、現在、ＤＹコマフリーコイルの主流をなしている「Ｕ」字方式で共通して発生する問題であるから、これに対する改善が急務である実情にある。
【００４８】
このような問題点を解消するための従来の偏向ヨークは、ＹＨＣ歪曲現象を補正するために具備されている、図８に図示されている可変抵抗ＹＨＣ  ＶＲを調整して図１１のように、逆信号を発生させるようになる。したがって、図９と図１１に図示されたＹＨの合成によって全体的な補償がなされるようにしている。
【００４９】
【発明が解決しようとする課題】
上記従来の方式は、ＹＨ可変抵抗ＹＨ  ＶＲと連結しているコマフリーコイルと連結しているため、ＹＨ可変抵抗ＹＨ  ＶＲの調整によって上下側コマフリーコイルに流れる電流量が調整され、画面上のＹＨ成分の絶対量が変化するようになる。
【００５０】
したがって、こうした動作をするＹＨ可変抵抗ＹＨ  ＶＲの補正量が上下で不均一に調整されたならば、回路上のＹＨＣ可変抵抗ＹＨＣ  ＶＲを再補正する、そうしたサイクルが反復される問題が発生するようになる。
【００５１】
また、こうした問題点を解決するために、一部の陰極線管では、「Ｅ」字方式のコマフリーコイルを採択して使用するが、「Ｅ」字方式の場合には配線が複雑で経済的に高価な費用が必要であり、配線の複雑化に伴う電磁気的な特性で不安定な問題が発生するようになる。
【００５２】
本発明の目的は、偏向ヨーク（Deflection yoke）のミスコンバージェンス（Miss Convergence）を補正するように偏向ヨークに設けられた上側及び下側のコマフリーコイルでプリント回路基板の接続端子間に連結される配線の長さを同一にすることで、ＹＨ補正回路の動作時、上下側の調整不均衡の発生に伴う誤差を補償するためのミスコンバージェンスを補正する偏向ヨークを提供することにある。
【００５３】
本発明の他の目的は、偏向ヨーク(Deflection yoke）のミスコンバージェンス(Miss Convergence)を補正するように偏向ヨークに設けられた上側コマフリーコイル及び下側コマフリーコイルでプリント回路基板の接続端子間に連結する配線の長さの差に対応する抵抗をプリント回路基板に近接した上側コマフリーコイルに直列に連結してＹＨ補正回路の動作時、上下側の調整不均衡の発生に伴う誤差を補償するためのミスコンバージェンスを補正する偏向ヨークを提供することにある。
【００５４】
【課題を解決するための手段】
上記目的を達成するために、本発明に係るミスコンバージェンスを補正する偏向ヨークは、プリント回路基板がリアカバー部の一側面に位置されたコイルセパレータと、前記コイルセパレータの内外周面に各々設置されて一定磁界を発生することによって陰極線管から照射される電子ビームを偏向させる偏向コイルと、前記偏向コイルの磁界を強化するように前記コイルセパレータの外面に設置されるフェライトコアと、前記プリント回路基板の接続端子に近接した一側のコマフリーコイルで接続端子に連結される配線を迂回延長させることによって、前記コマフリーコイルと所定距離だけ離隔されて対向設置された他側のコマフリーコイルで接続端子に連結される配線の長さと同一にして両側の配線長さの差で発生されるミスコンバージェンスを補正するコマフリーコイルとを含んで構成されることを特徴とする。
【００５５】
本発明は、前記接続端子から両側コマフリーコイルに達する配線長さが同一になるように、プリント回路基板の接続端子と近接した位置に設置されたコマフリーコイルの一側線を対応する接続端子に短距離で配線し、他の一側線は対向設置されたコマフリーコイルのボビンを回して対応する接続端子に遠距離で配線することを他の特徴とする。
【００５６】
本発明は、前記接続端子から両側コマフリーコイルに達する配線長さが同一になるように、プリント回路基板の接続端子と近接した位置に設置されたコマフリーコイルの両側の入力配線及び出力配線を同時に迂回配線して延長することをもう一つの特徴とする。
【００５７】
本発明は、前記コマフリーコイルを垂直に二等分する中心延長線を基準にコマフリーコイルが装着される周辺部の所定地点に左右対称となるように掛かり部を形成して前記掛かり部に配線が巻かれるようにし、両側の配線が対称となる構造を有することをもう一つの付加的な特徴とする。
【００５８】
本発明は、対称になるある一片の掛かり部は、一つ以上形成されることを特徴とすることをもう一つの付加的な特徴とする。
【００５９】
また本発明に係るミスコンバージェンスを補正する偏向ヨークは、プリント回路基板がリアカバー部の一側面に位置されたコイルセパレータと、前記コイルセパレータの内外周面に各々設置されて一定磁界を発生することによって陰極線管で照射される電子ビームを偏向させる偏向コイルと、前記偏向コイルの磁界を強化するように前記コイルセパレータの外面に設置されるフェライトコアと、前記プリント回路基板の接続端子に近接した一側のコマフリーコイルとこれに所定距離だけ離隔されて対向設置された他側のコマフリーコイルで接続端子に連結される配線の相互の長さの差によるミスコンバージェンスを補正するように、前記接続端子に近接した一側のコマフリーコイルで接続端子に連結される配線に前記配線の長さの差に該当する抵抗値を有する抵抗が直列連結したコマフリーコイルとを含んで構成されたことを特徴とする。
【００６０】
本発明は、前記抵抗がプリント回路基板上に装着されることを他の特徴とし、前記抵抗の抵抗値が０．０７Ωであることをもう一つの特徴とする。
【００６１】
【発明の実施の形態】
以下、図面を参照して、本発明に係るミスコンバージェンスを補正する偏向ヨークの望ましい一実施形態を詳細に説明する。
【００６２】
図１２は、一般的なミスコンバージェンスを補正するための従来のプリント回路基板の接続端子とコマフリーコイルとの間の概略的な配線例示図で、偏向ヨークは、上下対称形に構成され、一つに結合される一対のコイルセパレータを具備している。前記コイルセパレータは、水平偏向コイルと垂直偏向コイルとを絶縁させるとともに、これらの位置を精度あるように組立てるために具備されているもので、陰極線管のスクリーン面側に結合されるスクリーン部と、リアカバー部と、前記リアカバー部の中心面から一体に延長形成されて陰極線管の電子銃部に結合されるネック部とから構成されている。
【００６３】
前記のようなコイルセパレータの内外周面には外部から印加される電源によって水平偏向磁界と垂直偏向磁界を形成するための水平偏向コイルと垂直偏向コイルがそれぞれ設置されている。また、前記垂直偏向コイルを覆うように装着されて垂直偏向コイルで発生される磁界を強化するように磁性体に形成される一対のフェライトコアが設置されている。
【００６４】
また、ミスコンバージェンス補正のための回路が装着されたプリント回路基板が偏向ヨークのリアカバー部の一側面に設置されている。図１２に示されるとおり、コイルセパレータのリアカバー部１０上部面にプリント回路基板１が設置されている。
【００６５】
プリント回路基板１は、電子部品が設置されているボードとして、強化ガラス繊維やプラスチックから製造されており、一般的に銅で構成された回路を通して電子部品の相互間が連結されている。主に、あるシステム内での主要プリント回路基板をシステムボード又はマザーボードと呼び、マザーボードのスロットに装着されるより小さなものをスレーブ又はカードと呼ぶ。「プリント」とは、複雑な回路が基板上に実際に鮮明に刻まれた回路という意味である。
【００６６】
一般的なプリント回路基板工程を簡略に説明すると、銅薄板を強化ガラス繊維やプラスチック基板上に設置してフォトレジストで覆う。そして、回路が彫られたネガティブフィルムを介してフォトレジスト上に光を照査すると、硬化された部分のみがエッチング（銅板の腐蝕）後に残るようになる。そして、強い酸を含む電解槽を通過すると、硬化されていない部分はすべて洗い落とされるため、プリント回路基板が作られるのである。
【００６７】
前記プリント回路基板１には垂直偏向コイル及び水平偏向コイルとコマフリーコイルに電流を印加するための接続端子２，２'が設けられ、前記接続端子２，２'には各々コマフリーコイル２０，２１の入出力線が連結されている。ここで、前記プリント回路基板１に具備された接続端子２，２'はコマフリーコイルとプリント回路基板との配線連結構造を説明するために図示されたものに過ぎず、より多くの接続端子が基板の所定位置に各々設けられている。
【００６８】
そして、コマフリーコイル２０，２１は電子ビームが初期放出される経路であるコイルセパレータのネック部１１周辺の上下方向にコイルセパレータのリアカバー部１０の上側と下側とに対応するように設置されている。
【００６９】
上側と下側とに設置されるコマフリーコイル２０，２１は、ミスコンバージェンスを好適に補償するように、電流印加によって発生される磁界の大きさと方向を考慮して、コア（core）に巻かれる捲線の数と巻かれる方向が設定されている。
【００７０】
一方、こうした構成を有する偏向ヨークで、上側及び下側に設置されたコマフリーコイル２０，２１が設置される位置によってコマフリーコイル２０，２１で接続端子２，２'に連結される配線距離は相互間で一定の差が発生するようになる。
【００７１】
すなわち、図１２に図示されたように、プリント回路基板１の接続端子２，２'に近接したコマフリーコイル２０で接続端子２，２'に連結される配線Ｌ１と、下側のコマフリーコイル２１で接続端子２，２'に連結される配線Ｌ２との間には、Ｌ２−Ｌ１だけの配線長さの差が発生するようになるのである。
【００７２】
したがって、高周波を使用する偏向ヨークでは、配線が抵抗体に解析されることによって、上下側が同一捲線数に巻かわるコマフリーコイル２０，２１にあって、接続端子２，２'に達する配線の相違によって発生する抵抗値の差を無視できなくなる。このとき発生される配線距離の相違によって発生する抵抗値は、本実施形態では実験的に概略０．０７Ωであると測定された。
【００７３】
次の表１は、図１２に図示されているような上側コマフリーコイル２０と下側のコマフリーコイル２１の配線長さの差がある従来の配線構造を有する偏向ヨークで、ＹＨ歪曲に伴う補正をする場合、ＹＨ調整によって測定されたＹＨ絶対量とその不均衡量であるＹＨＣ（ＹＨ ＣＲＯＳＳ）のデータを示している。
2004193096.tif 000003
表１でＹＨ上側は、画面中心の上端からＲ（赤色）を基準にしてＢ（青色）の距離差を示すもので、ＹＨ下側は画面中心の下端からＲ（赤色）を基準にしてＢ（青色）の距離差を示すものである。
【００７４】
そして、マイナス（−）符号は、Ｒ（赤色）を基準としてＢ（青色）の垂直線が左側にずれた状態を表示し、プラス（＋）符号は、Ｒ（赤色）を基準としてＢ（青色）の垂直線が右側にずれた状態を表示するものである。
【００７５】
そして、ＹＨは、ＹＨ上側とＹＨ下側、２箇所の値を平均した値であり、ＹＨＣはＹＨ歪曲を補正する場合、上下側のＹＨ不均衡量（ＹＨ ＣＲＯＳＳ）を表示するものである。
【００７６】
例えば、表１でＹＨ上側が−０．３０（単位 mm）でＹＨ下側が−０．１０である場合、ＹＨはその平均値である−０．２０であり、ＹＨＣはその差の絶対値である０．２０になる。
【００７７】
表１を見ると、ＹＨ絶対量の変化によってＹＨの変化量が下側に対応して上側の変化幅が大きく、調整量が大きくなれば大きくなるほど、差量が増加してＹＨＣが大きくなることが理解できる。すなわち、ＹＨ補正量が、上下が不均衡に調整されて、貼付した図８のミスコンバージェンス補正回路で再びＹＨＣを再補正しなければならない問題が発生するようになる。
【００７８】
こうした上側及び下側の不均衡問題は、上側コマフリーコイル２０と下側コマフリーコイル２１の従来の配線構造による両側コマフリーコイル２０，２１の配線抵抗値に起因する。
【００７９】
したがって、本発明は上側コマフリーコイル２０と接続端子２，２'間の抵抗値を下側の抵抗値と同一化させるならば、不均衡が改善できるという点に着眼したのである。
【００８０】
図１３は本発明に係るミスコンバージェンスを補正する偏向ヨークの好適な一実施形態に係るコマフリーコイルの配線構造を模式的に図示している。
【００８１】
図示されたように、プリント回路基板１に近接した上側コマフリーコイル２０の一側線を下側に位置されたコマフリーコイル２１のコイルボビンｂに１回程度巻いて接続端子２に連結することによって、接続端子２，２'に近接したコマフリーコイル２０の配線の総長さであるＬ３は、対向されて下側に設置された遠距離のコマフリーコイル２１の配線の総長さであるＬ２と同一になる。
【００８２】
ここで、コイルボビンｂに巻かれた接続端子２，２'に近接したコマフリーコイル２０の一側線は、接続端子２，２'でコマフリーコイル２０に電流が入力される線、又はコマフリーコイル２０で接続端子２，２'に電流が出力される線のうち、どちらか１つを選択してもよく、本実施形態では一側線を右側方向に配線したのであるが、左側に配線してもよい。
【００８３】
そして、配線のコイルボビンｂに巻かれる回数は、接続端子２，２'に近接したコマフリーコイル２０の総配線長さが遠距離のコマフリーコイル２１の配線長さと同一となるように設定することが望ましい。
【００８４】
図１４は、本発明の他の実施形態であり、接続端子２，２'に近接したコマフリーコイル２０の両側線を各々迂回延長させた他の配線構造を模式的に図示している。
【００８５】
図示されたように、上側及び下側のコマフリーコイル２０，２１を左右対称となるように二等分する中心線を基準にコマフリーコイル２０の入力線及び出力線を同時に各々左右側に対称となるように配線して、右側配線Ｌ４及び左側配線Ｌ５の配線長さの合計がＬ２と同一となるようにした。
【００８６】
配線の迂回延長を容易にするように、コマフリーコイル２０，２１が設置される周辺所定地点に掛かり部ｈを形成し、前記掛かり部ｈに配線が巻かれるか掛かるようにして配線経路を変更乃至配線長さを調整した。配線の経路変更と長さ調整がより容易となるように、前記掛かり部ｈを左右側の各々複数個に形成することも可能である。
【００８７】
そして、両側配線を同じ長さで、必ず左右対称となるようにする必要はないし、適当に配線して上下側のコマフリーコイル２０，２１の配線長さを一致させてＹＨ補正が好適になすようにしてもよい。
【００８８】
図１５は、本発明のもう１つの実施形態を模式的に図示したもので、図１３と図１４のようにコマフリーコイル２０，２１の配線の長さを一致させてミスコンバージェンスを補正するのではなく、配線の長さの差に該当する抵抗値を有する抵抗素子Ｒを近接したコマフリーコイル２０の一側線であるＬ１に直列で連結して配線の長さの差に伴う抵抗値を補償した。前記抵抗Ｒは、プリント回路基板１に装着することがより望ましい。
【００８９】
本実施形態で測定された配線の長さの差に該当する抵抗値は、０．０７Ωとして測定されたため、０．０７Ωの抵抗を設置する場合、これより大きい抵抗を多数並列に連結して抵抗調整をすることができ、０．０７Ωの抵抗設置は、本発明が属する当該技術分野の通常の知識を有する者には自明な事項であるから詳細な説明は省略する。
【００９０】
上述した本発明によって、コマフリーコイル２０，２１の配線の長さ又は抵抗を同一にしてＹＨボリューム（VOLUME）調整をしながら、それに伴うＹＨＣを測定してみた。
【００９１】
2004193096.tif 000004
上記の表２からわかるように、本発明によってＹＨ歪曲を補正する場合、上側及び下側のＹＨが同一の大きさに変化され、これに伴って上側及び下側の不均衡量であるＹＨＣが発生されないことが解った。すなわち、ＹＨ上側が−０．２０である場合、ＹＨ下側も−０．２０だけ補正され、上下の不均衡量は０になり、結果的にＹＨは上下の平均である−０．２０になる。
【００９２】
以上、本発明の望ましい実施形態を説明したが、本発明は多様な変化と変更及び均等物を使用することができる。本発明は、前記実施形態を適切に変形して同一に応用できることが明確である。したがって、前記記載内容は、特許請求の範囲の限界によって決まる本発明の範囲を限定するものではない。
【００９３】
【発明の効果】
本発明に係るミスコンバージェンス（Miss Convergence）を補正する偏向ヨークは、従来コマフリーコイルが配線の長さの相違によって上下側コマフリーコイルで互いに異なるように現れる抵抗値を同一にすることでＹＨ補正回路の動作時、上下側の調整の不均衡発生に伴う誤差を補償できる長所があり、従来の不均衡によって必要となる作業手順が減少することで作業能率を向上させて製品品質を向上させることができ、作業費用を節減させることができるという長所がある。
【図面の簡単な説明】
【図１】一般的な陰極線管を示した側面図である。
【図２】従来技術に係るサドル−サドル型偏向ヨークを示した断面図である。
【図３】図２の断面図である。
【図４】従来技術に係る偏向ヨークでの画面上に発生するミスコンバージェンスのパターン例示図である。
【図５】従来技術に係る偏向ヨークでの画面上に発生するミスコンバージェンスのパターン例示図である。
【図６】従来技術に係る偏向ヨークでの画面上に発生するミスコンバージェンスのパターン例示図である。
【図７】従来技術に係る偏向ヨークでの画面上に発生するミスコンバージェンスのパターン例示図である。
【図８】一般的な偏向ヨークのミスコンバージェンス補正装置の回路構成図である。
【図９】ＹＨ歪曲現象とこれを補正するための過程を説明する画面例示図である。
【図１０】ＹＨ歪曲現象とこれを補正するための過程を説明する画面例示図である。
【図１１】ＹＨ歪曲現象とこれを補正するための過程を説明する画面例示図である。
【図１２】一般的なミスコンバージェンスを補正するための従来のプリント回路基板の接続端子とコマフリーコイルとの間の模式配線例示図である。
【図１３】本発明に係る偏向ヨークのミスコンバージェンス補正のための配線構造の模式例示図である。
【図１４】本発明に係る偏向ヨークのミスコンバージェンス補正のための配線構造の他の模式例示図である。
【図１５】本発明に係る偏向ヨークのミスコンバージェンス補正のためにコマフリーコイルとプリント回路基板の接続端子に抵抗が挿入設置された配線構造の模式例示図である。
【符号の説明】
１  プリント回路基板
２  接続端子
１０  リアカバー部
１１  ネック部
２０  上側コマフリーコイル
２１  下側コマフリーコイル
ｂ  ボビン
ｈ  掛かり部
Ｒ  抵抗
Ｌ１〜Ｌ５  配線
【図１】
2004193096.tif 000005
【図２】
2004193096.tif 000006
【図３】
2004193096.tif 000007
【図４】
2004193096.tif 000008
【図５】
2004193096.tif 000009
【図６】
2004193096.tif 000010
【図７】
2004193096.tif 000011
【図８】
2004193096.tif 000012
【図９】
2004193096.tif 000013
【図１０】
2004193096.tif 000014
【図１１】
2004193096.tif 000015
【図１２】
2004193096.tif 000016
【図１３】
2004193096.tif 000017
【図１４】
2004193096.tif 000018
【図１５】
2004193096.tif 000019